(57)【特許請求の範囲】
【請求項１】
円弧状の外装部と、前記外装部の左右端部から前記外装部の内部に挿入される２つの腕部と、２つの前記腕部の内側の先端を連結する連結ワイヤーと、２つの前記腕部の内側の先端に固定された磁石と、を有し、前記外装部は、２つの前記腕部が挿入される空隙を有するとともに中央部に仕切壁を有し、前記連結ワイヤーを下方に引き下げることによって、２つの前記腕部は前記外装部の内部に収納され、前記収納された２つの前記腕部は、前記仕切壁を介して前記磁石により互いに引き合っている状態となるハンガーと、
前記ハンガーの上部に設置されたローラと、
を有する複数のハンガーユニットと、
複数の前記ハンガーユニットのローラが移動するためのガイドレールと、
前記ガイドレールが下面に設置された固定台と、
を備えることを特徴とする物干しハンガー。
【請求項２】
前記ハンガーは、前記腕部を前記外装部から引き出した際に、前記腕部が前記外装部から脱落するのを防止するためのストッパー手段を有することを特徴とする請求項１記載の物干しハンガー。
【請求項３】
前記ガイドレールが円形状に形成されたことを特徴とする請求項１または２に記載の物干しハンガー。
【請求項４】
複数の前記ハンガーユニットを連結するための連結ケーブルと、
前記ガイドレールを移動する複数の前記ハンガーユニットのうちの一のハンガーユニットに係止されたバンドと、
前記バンドを巻き取る巻き取り手段と、
を備えることを特徴とする請求項１乃至３のいずれか１項に記載の物干しハンガー。
【請求項５】
前記ハンガーの前記腕部の外側の先端に、洗濯バサミを有することを特徴とする請求項１乃至４のいずれか１項に記載の物干しハンガー。
【請求項６】
円弧状の外装部と、
前記外装部の左右端部から前記外装部の内部に挿入される２つの腕部と、
２つの前記腕部の内側の先端を連結する連結ワイヤーと、
２つの前記腕部の内側の先端に固定された磁石と、
前記外装部の上面に設置されたフックと、
を有し、
前記外装部は、２つの前記腕部が挿入される空隙を有するとともに、中央部に仕切壁を有し、
前記連結ワイヤーを下方に引き下げることによって、２つの前記腕部は前記外装部の内部に収納され、
前記収納された２つの前記腕部は、前記仕切壁を介して前記磁石により互いに引き合っている状態となることを特徴とするハンガー。
【請求項７】
前記腕部を前記外装部から引き出した際に、前記腕部が前記外装部から脱落するのを防止するためのストッパー手段を有することを特徴とする請求項６記載のハンガー。
【発明の詳細な説明】
【技術分野】
【０００１】
本発明は、洗濯物を干すための物干しハンガー及びハンガーに関する。
【背景技術】
【０００２】
近年、種々の形状、機能を有する物干しハンガーが使用されている。図１０（ａ）に一般的な物干しハンガー６０を示す。この物干しハンガー６０は、連結部６１に設けられた複数の係止孔６２に複数のハンガー６３がそれぞれ挿入され、連結部６１の上側中央に設置された固定部６４が物干し竿２０を把持する構成を有している。そして、洗濯物５０はハンガー６３のそれぞれに掛けられ乾燥される（図１０（ｂ））。
【０００３】
また、例えば特許文献１には、物干し作業を作業者自身が移動しながら行うのではなく、干した洗濯物を移動させることにより、作業を容易に行うことができる物干し装置に関する技術が開示されている。特許文献１の物干し装置７０を、図１１に示す。物干し装置７０は、パンタグラフ式のアーム７６の中心部に滑車７４を有しており、これをレール７２に挿入し、水平方向への伸縮運動により、付属のグリップ７５に掛けたハンガー７１を手動で均等に配置することができる。
【先行技術文献】
【特許文献】
【０００４】
【特許文献１】特開２００９−２５４７６５号公報
【発明の概要】
【発明が解決しようとする課題】
【０００５】
しかし、図１０（ａ）に示した物干しハンガー６０や特許文献１の物干し装置７０では、ボタン５０ａを掛けた状態でシャツ等の洗濯物５０を干した場合（図１０（ｂ））、ハンガー６３からシャツ等を外すためにはボタン５０ａを外さなければならず手間と時間がかかるという問題があった。また、物干しハンガー６０、物干し装置７０は全体が嵩張るため、室内に収納する場合には大きなスペースを占有するという課題があった。
【０００６】
本発明は、以上の課題に着目して成されたもので、洗濯物を簡単にハンガーから外すことができ、かつ全体をコンパクトに収納することができる物干しハンガー及びハンガーを提供することを目的とする。
【課題を解決するための手段】
【０００７】
本発明は上記課題を解決するため、以下の構成を備えるものである。
【０００８】
（１）円弧状の外装部と、前記外装部の左右端部から前記外装部の内部に挿入される２つの腕部と、２つの前記腕部の先端を連結する連結ワイヤーと、２つの前記腕部の先端に固定された磁石と、を有し、円弧状の前記外装部は、２つの前記腕部が挿入される空隙を有するとともに中央部に仕切壁を有するハンガーと、
前記ハンガーの上部に設置されたローラと、を有する複数のハンガーユニットと、
複数の前記ハンガーユニットのローラが移動するためのガイドレールと、
前記ガイドレールが下面に設置された固定台と、
を有することを特徴とする物干しハンガー。
【０００９】
（２）前記腕部を前記外装部から引き出した際に、前記腕部が前記外装部から脱落するのを防止するためのストッパー手段を有することを特徴とする前記（１）記載の物干しハンガー。
【００１０】
（３）前記ガイドレールが円形状に形成されたことを特徴とする前記（１）または（２）に記載の物干しハンガー。
【００１１】
（４）複数の前記ハンガーユニットを連結するための連結ケーブルと、
前記ガイドレールを移動する複数の前記ハンガーユニットのうちの一のハンガーユニットに係止されたバンドと、
前記バンドを巻き取る巻き取り手段と、
を有することを特徴とする前記（１）乃至（３）のいずれか１項に記載の物干しハンガー。
【００１２】
（５）前記腕部の先端に、洗濯バサミを有することを特徴とする前記（４）記載の物干しハンガー。
【００１３】
（６）円弧状の外装部と、
前記外装部の左右端部から前記外装部の内部に挿入される２つの腕部と、
２つの前記腕部の先端を連結する連結ワイヤーと、
２つの前記腕部の先端に固定された磁石と、
前記外装部の上面に設置されたフックと、を有するハンガーであって、
円弧状の前記外装部は、２つの前記腕部が挿入される空隙を有するとともに、中央部に仕切壁を有し、
前記連結ワイヤーを下方に引き下げることによって、２つの前記腕部を前記外装部の内部に収納することを特徴とするハンガー。
【００１４】
（７）前記腕部を前記外装部から引き出した際に、前記腕部が前記外装部から脱落するのを防止するためのストッパー手段を有することを特徴とする前記（６）記載のハンガー。
【発明の効果】
【００１５】
本発明によれば、洗濯物を簡単にハンガーから外すことができ、かつ全体をコンパクトに収納することができる物干しハンガー及びハンガーを提供することができる。
【図面の簡単な説明】
【００１６】
【図１】本発明の物干しハンガーの構成を示す外観図
【図２】本発明の伸縮ハンガーの構成を示す外観図
【図３】本発明の物干しハンガーの未使用状態を示す外観図
【図４】本発明の伸縮ハンガーの構造を示す図
【図５】本発明の伸縮ハンガーの使用方法を示す図
【図６】本発明の伸縮ハンガーを用いたハンガーの使用例を示す図
【図７】本発明の物干しハンガーのストッパー機構を示す図
【図８】本発明の物干しハンガーの他の構成を示す外観図
【図９】本発明のハンガーの使用方法を示す図
【図１０】従来の物干しハンガーの構成を示す図
【図１１】従来の他の物干しハンガーの構成を示す図
【発明を実施するための形態】
【００１７】
以下、本発明を実施するための形態を、実施例により詳しく説明する。
【実施例】
【００１８】
［物干しハンガーの構成］
図１は、本発明の物干しハンガー１０の構成を示す図である。図１（ａ）は伸縮ハンガー４の腕部４１を延ばした状態を示している。なお、伸縮ハンガー４については後に詳しく説明する。
【００１９】
物干しハンガー１０は、固定台１と固定台１の下面に設置されたガイドレール２を有している。また、外装部４０と腕部４１からなる複数の伸縮ハンガー４がガイドレール２を移動する。伸縮ハンガー４には取付金具５とローラ固定金具６が取付られ、ローラ固定金具６にはローラ７が設置されておりハンガーユニットを構成している（図２（ａ））。伸縮ハンガー４は、ローラ７によってガイドレール２上を滑るように移動することができる（図２（ｂ））。なお、複数の伸縮ハンガー４は連結ケーブル９で相互に連結されている。
【００２０】
固定台１の上面の右端側には巻取り具３が設置されている。巻取り具３は巻取りバンド３ａを巻き取るための装置である。巻取りバンド３ａの端部は、左端の伸縮ハンガー４にローラ８を経由して固定されている。図１（ａ）は、巻取りバンド３ａが短くなった状態を示す。また、固定台１の上側の両端部には吊り下げワイヤー１２を介して固定部１１が設置されている。物干しハンガー１０は、固定部１１によって物干し竿２０に設置されている。
【００２１】
図１（ｂ）は、物干しハンガー１０の伸縮ハンガー４の腕部４１を外装部４０の内部に収納した状態を示している。腕部４１を収納することで、物干しハンガー１０全体をコンパクトにすることができる。また、図１（ｃ）は腕部４１の端部に洗濯バサミ１３を取り付けた状態を示している。洗濯バサミ１３によって、靴下やハンカチ、タオル等を干すことができる。
【００２２】
図３（ａ）は、複数の伸縮ハンガー４を右側に寄せた状態を示している。この状態では、巻取りバンド３ａは最大に伸びた状態となっている。この状態で巻取り具３のボタン３ｂを押すと、物干しハンガー１０は巻取りバンド３ａが巻取り具３に巻き取られ、図１（ａ）の状態になる。巻取り具３の内部には、メジャー等と同様にぜんまいバネが収納されている。図３（ｂ）は、洗濯バサミ１３が取り付けられた伸縮ハンガー４が右側に寄せられた状態を示している。更に、図３（ｃ）は伸縮ハンガー４の腕部４１が、外装部４０に収納された状態で右側に寄せられた状態を示している。図３（ｃ）の状態の物干しハンガー１０は、いわば未使用状態を示しており非常にコンパクトな状態になることがわかる。
【００２３】
［伸縮ハンガーの構成］
図４を参照しつつ、伸縮ハンガー４の構成について説明する。図４（ａ１）〜（ａ３）は腕部４１が外装部４０に収納された状態を示している。
【００２４】
伸縮ハンガー４は、１つの外装部４０と２つの腕部４１によって構成されている。外装部４０の内部には腕部４１が挿入される２つの空間が形成されており、空間の間には仕切壁４０ａが設けられている。また、腕部４１の内側先端部には磁石４１ａが埋め込まれており、図４（ａ２）の状態では左右の腕部４１の内側先端部が引き合っている状態となっている。磁石４１ａは、ネオジム磁石等の強力な磁石が使用される。更に、左右の腕部４１の内側先端は、連結ワイヤー４２によって連結されている。この連結ワイヤー４２の機能については、後に説明する。
【００２５】
なお、腕部４１の内側先端の下側近傍にはストッパーネジ４３（ストッパー手段）が固定され、外装部４０の下側面には、ストッパーネジ４３が移動するための溝部４０ｂが形成されている。図４（ｂ１）、（ｂ２）は腕部４１が外装部４０から引き出された状態を示している。ストッパーネジ４３は、腕部４１が外装部４０から引き出された際にストッパーとして機能する（図４（ｂ２））。連結ワイヤー４２は、腕部４１が引き出された場合に、図４（ｂ２）のように引き伸ばされた状態になる。
【００２６】
図５を用いて、伸縮ハンガー４の腕部４１を外装部４０に収納する手順について説明する。図５（ａ）は、腕部４１が延ばされた状態を示し、この状態で連結ワイヤー４２の輪部に指を入れ下方に引き下ろす。連結ワイヤー４２を引き下ろすと同時に、腕部４１は外装部４０の内側に移動する。図５（ｂ）は、腕部４１の収納が終了した状態を示しており、連結ワイヤー４２は下側に突出した状態になっている。
【００２７】
図６は、物干しハンガー１０の伸縮ハンガー４に洗濯物５０が干された状態を示している。図６（ａ）は、伸縮ハンガー４の腕部４１が伸びた状態であり、洗濯物５０を乾かしている場合である。この場合には、伸縮ハンガー４の全体の長さは長く洗濯物５０が皺になったりすることはない。図６（ｂ）は、伸縮ハンガー４の腕部４１を収納した状態であり、伸縮ハンガー４の全体の長さは短くなっている。伸縮ハンガー４の全値の長さが短くなることで、洗濯物５０を簡単に伸縮ハンガー４から外すことができる。従来のように、洗濯物のシャツのボタンを外さなければハンガーから外せないという問題を解消することができる。
【００２８】
［物干しハンガーのストッパー機構］
図７は、本発明の物干しハンガーのストッパー機構を説明するための図である。図７（ａ）はストッパー金具４５が閉じた状態を示し、図７（ｂ）はストッパー金具４５が開いた状態を示している。ストッパー金具４５は、固定台１の下面の図３（ｃ）に示したＸ部に設置されているものとする。
【００２９】
使用者は、物干しハンガー１０を図１に示した状態で使用している場合には図７（ａ）のようにストッパー金具４５を閉じた状態にする。そして、物干しハンガー１０が図３に示した未使用状態である場合には図７（ｂ）のようにストッパー金具４５を開いた状態にし、複数の伸縮ハンガー４が風等によりばらけることを防止することができる。
【００３０】
［円形の物干しハンガー］
図８は、円形状のガイドレール３０に複数の伸縮ハンガー４を設置した場合の物干しハンガー８０を示す。図８（ａ）は伸縮ハンガー４の腕部４１を延ばした状態を示し、図８（ｂ）は腕部４１を収納した状態を示す。このようにガイドレール３０を円形状にすることで、物干しハンガー８０をよりコンパクトにすることができる。図８の物干しハンガー８０では、ガイドレール３０に吊り下げ金具３１が固定され、吊り下げ金具３１の上側端部に固定部３２が設置されている。物干しハンガー８０は、固定部３２によって物干し竿２０に設置される。
【００３１】
［ハンガー］
図９は、伸縮ハンガー４にフック３５を取り付けて通常のハンガー９０とした場合の例である。図９（ａ）は腕部４１が伸びた状態を示し、図９（ｂ）は腕部４１が収納された状態を示している。ハンガー９０の腕部４１が伸びた状態では、衣類５１を通常通り吊るすことができる。衣類５１をハンガー９０から外す場合には、連結ワイヤー４２を引き出すことで腕部４１を短くし衣類を外す。
【００３２】
このように、伸縮ハンガーを通常のハンガーに用いた場合では、衣類を簡単にハンガーから取り外せるとともに、未使用時にはハンガーをコンパクトな形状にすることができる。
【符号の説明】
【００３３】
１      固定台
２      ガイドレール
３      巻取り具
４      伸縮ハンガー
５      取付金具
６      ローラ固定金具
７，８  ローラ
９      連結ケーブル
１０    物干しハンガー
１１    固定部
１２    ワイヤー
４０    外装部
４１    腕部
４５    ストッパー金具
【図１】
0006043760.tif 000002
【図２】
0006043760.tif 000003
【図３】
0006043760.tif 000004
【図４】
0006043760.tif 000005
【図５】
0006043760.tif 000006
【図６】
0006043760.tif 000007
【図７】
0006043760.tif 000008
【図８】
0006043760.tif 000009
【図９】
0006043760.tif 000010
【図１０】
0006043760.tif 000011
【図１１】
0006043760.tif 000012